(57)【要約】【課題】糸巻き歪を補正するための操作を容易に行うことが可能なプロジェクター、および、プロジェクターの制御方法を提供する。【解決手段】プロジェクター１は、液晶ライトバルブ１２で変調された画像光が示す投射画像の四隅の角部と、角部の間にある四つの辺とにそれぞれ対応する８つの識別画像を、投射光学系から画像光を投射することによってＯＳＤ処理部２５により表示させ、表示される８つの識別画像の中から１つを選択する操作を入力操作部２２によって受け付け、この操作により選択された識別画像Ｇを、他の識別画像Ｇと識別可能に強調表示し、識別画像Ｇを表示している状態で、角部または辺上の所定位置を移動させるための操作を入力操作部２２により受け付け、受け付けた操作に基づいて、選択された識別画像Ｇに対応する角部または辺上の所定位置を移動させるとともに、この移動に伴う糸巻き歪補正を画像補正部２６により実行する。【選択図】図１
2013077958.tif 000002
【特許請求の範囲】
【請求項１】
光源と、
前記光源から射出された光を変調する光変調装置と、
前記光変調装置で変調された画像光を投射する投射光学系と、
前記画像光が示す画像の四隅の角部と、前記角部の間にある四つの辺とにそれぞれ対応する８つの識別画像を、前記投射光学系から画像光を投射することによって表示する識別画像表示部と、
前記識別画像表示部が表示する前記８つの識別画像の中から１つを選択する操作を受け付ける選択操作部と、
前記選択操作部で選択された識別画像を、他の識別画像と識別可能に強調表示する強調表示部と、
前記強調表示部が前記識別画像を表示している状態で、前記角部または前記辺上の所定位置を移動させるための操作を受け付ける移動操作部と、
前記移動操作部で受け付けた操作に基づいて、前記選択操作部で選択された前記識別画像に対応する前記角部または前記辺上の所定位置を移動させるとともに、この移動に伴う糸巻き歪補正を実行する画像補正部と、
を備えたことを特徴とするプロジェクター。
【請求項２】
前記強調表示部は、前記角部に対応する前記識別画像に対しては、前記移動操作部で移動可能な少なくとも２つの軸に対応する方向マークを、前記選択操作部で選択された前記識別画像に付加し、前記辺部に対応する前記識別画像に対しては、前記移動操作部で移動可能な１つの軸に対応する方向マークを、前記選択操作部で選択された前記識別画像に付加することを特徴とする請求項１記載のプロジェクター。
【請求項３】
糸巻き歪補正を行う糸巻き歪補正モードと、台形歪補正を行う台形歪補正モードとを選択可能に構成され、
前記台形歪補正モードにおいては、
前記識別画像表示部は、前記画像の四隅の角部にそれぞれ対応する４つの識別画像を表示し、
前記選択操作部は、前記識別画像表示部が表示する前記４つの識別画像の中から１つを選択する操作を受け付け、
前記移動操作部は、前記強調表示部が前記識別画像を表示している状態で、前記角部を移動させるための操作を受け付け、
前記画像補正部は、前記移動操作部で受け付けた操作に基づいて、前記選択操作部で選択された前記識別画像に対応する角部を移動させるとともに、この移動に伴う台形歪補正を実行すること、
を特徴とする請求項１または２記載のプロジェクター。
【請求項４】
前記強調表示部は、前記糸巻き歪補正モードにおいては前記選択操作部で選択されなかった７つの前記他の識別画像を非表示にし、前記台形歪補正モードにおいては前記選択操作部で選択されなかった３つの前記他の識別画像を非表示にすることを特徴とする請求項３記載のプロジェクター。
【請求項５】
前記強調表示部は、前記選択操作部により選択された前記角部または前記辺上の所定の位置が移動可能範囲の限界に位置していて所定の方向へ移動できない状態では、当該方向に対応する前記方向マークを目立たなくすることを特徴とする請求項１から４のいずれかに記載のプロジェクター。
【請求項６】
光源から射出された光を変調した画像光を投射するプロジェクターの制御方法であって、
前記画像光が示す画像の四隅の角部と、前記角部の間にある四つの辺とにそれぞれ対応する８つの識別画像を、前記投射光学系から画像光を投射することによって表示し、
前記８つの識別画像の中から１つを選択する操作を受け付け、
選択された識別画像を、他の識別画像と識別可能に強調表示し、
前記識別画像を強調表示している状態で、前記角部または前記辺上の所定位置を移動させるための操作を受け付け、
受け付けた操作に基づいて、前記選択操作部で選択された前記識別画像に対応する前記角部または前記辺上の所定位置を移動させるとともに、この移動に伴う糸巻き歪補正を実行すること、
を特徴とするプロジェクターの制御方法。
【発明の詳細な説明】
【技術分野】
【０００１】
本発明は、プロジェクター、及び、プロジェクターの制御方法に関する。
【背景技術】
【０００２】
従来、プロジェクターにおいて、投射面に対するプロジェクターの設置角により生じる台形歪補正をユーザーの操作によって補正するため、補正用の画像を表示することで、操作を容易にしたものが知られている（例えば、特許文献１参照）。
【先行技術文献】
【特許文献】
【０００３】
【特許文献１】特開２０１０−２５００４１号公報
【発明の概要】
【発明が解決しようとする課題】
【０００４】
ところで、投射面の状態によっては投射画像に糸巻き歪と呼ばれる歪みが生じることがある。糸巻き歪は、投射画像の角部を移動させるだけでは補正できないため、上記従来の構成では対応できず、糸巻き歪を補正する操作を容易に行えるプロジェクターが求められていた。
本発明は、上述した課題に鑑みてなされたものであり、糸巻き歪を補正するための操作を容易に行うことが可能なプロジェクター、および、プロジェクターの制御方法を提供することを目的とする。
【課題を解決するための手段】
【０００５】
上記目的を達成するために、本発明は、光源と、前記光源から射出された光を変調する光変調装置と、前記光変調装置で変調された画像光を投射する投射光学系と、前記画像光が示す画像の四隅の角部と、前記角部の間にある四つの辺とにそれぞれ対応する８つの識別画像を、前記投射光学系から画像光を投射することによって表示する識別画像表示部と、前記識別画像表示部が表示する前記８つの識別画像の中から１つを選択する操作を受け付ける選択操作部と、前記選択操作部で選択された識別画像を、他の識別画像と識別可能に強調表示する強調表示部と、前記強調表示部が前記識別画像を表示している状態で、前記角部または前記辺上の所定位置を移動させるための操作を受け付ける移動操作部と、前記移動操作部で受け付けた操作に基づいて、前記選択操作部で選択された前記識別画像に対応する前記角部または前記辺上の所定位置を移動させるとともに、この移動に伴う糸巻き歪補正を実行する画像補正部と、を備えたことを特徴とする。
本発明によれば、投射される画像の四隅の角部と四つの辺とにそれぞれ対応する８つの識別画像を表示し、これらの識別画像から１つを選択する操作に応じて選択された識別画像を表示し、この識別画像に対する操作に基づいて糸巻き歪補正を行うので、糸巻き歪補正を行うための操作を容易に行うことができる。
【０００６】
また、本発明は、上記プロジェクターにおいて、前記強調表示部は、前記角部に対応する前記識別画像に対しては、前記移動操作部で移動可能な少なくとも２つの軸に対応する方向マークを、前記選択操作部で選択された前記識別画像に付加し、前記辺部に対応する前記識別画像に対しては、前記移動操作部で移動可能な１つの軸に対応する方向マークを、前記選択操作部で選択された前記識別画像に付加することを特徴とする。
本発明によれば、角部と辺に対してそれぞれ最適な方向マークを表示することにより適切に操作を案内することができ、糸巻き歪を補正するための操作をより容易にすることができる。
【０００７】
また、本発明は、上記プロジェクターにおいて、糸巻き歪補正を行う糸巻き歪補正モードと、台形歪補正を行う台形歪補正モードとを選択可能に構成され、前記台形歪補正モードにおいては、前記識別画像表示部は、前記画像の四隅の角部にそれぞれ対応する４つの識別画像を表示し、前記選択操作部は、前記識別画像表示部が表示する前記４つの識別画像の中から１つを選択する操作を受け付け、前記移動操作部は、前記強調表示部が前記識別画像を表示している状態で、前記角部を移動させるための操作を受け付け、前記画像補正部は、前記移動操作部で受け付けた操作に基づいて、前記選択操作部で選択された前記識別画像に対応する角部を移動させるとともに、この移動に伴う台形歪補正を実行すること、を特徴とする。
本発明によれば、糸巻き歪補正とともに、台形歪補正をするための操作を容易に行うことができる。
【０００８】
また、本発明は、上記プロジェクターにおいて、前記強調表示部は、前記糸巻き歪補正モードにおいては前記選択操作部で選択されなかった７つの前記他の識別画像を非表示にし、前記台形歪補正モードにおいては前記選択操作部で選択されなかった３つの前記他の識別画像を非表示にすることを特徴とする。
本発明によれば、糸巻き歪補正と台形歪補正とのそれぞれに最適な表示を行って、操作をより容易にすることができる。
【０００９】
また、本発明は、上記プロジェクターにおいて、前記強調表示部は、前記選択操作部により選択された前記角部または前記辺上の所定の位置が移動可能範囲の限界に位置していて所定の方向へ移動できない状態では、当該方向に対応する前記方向マークを目立たなくすることを特徴とする。
本発明によれば、マークの表示状態によって、角部または辺を移動させる操作の限界を知らせることができるので、糸巻き歪を補正するための操作をより容易にすることができる。
【００１０】
また、上記目的を達成するために、本発明は、光源から射出された光を変調した画像光を投射するプロジェクターの制御方法であって、前記画像光が示す画像の四隅の角部と、前記角部の間にある四つの辺とにそれぞれ対応する８つの識別画像を、前記投射光学系から画像光を投射することによって表示し、前記８つの識別画像の中から１つを選択する操作を受け付け、選択された識別画像を、他の識別画像と識別可能に強調表示し、前記識別画像を強調表示している状態で、前記角部または前記辺上の所定位置を移動させるための操作を受け付け、受け付けた操作に基づいて、前記選択操作部で選択された前記識別画像に対応する前記角部または前記辺上の所定位置を移動させるとともに、この移動に伴う糸巻き歪補正を実行すること、を特徴とする。
本発明によれば、投射される画像の四隅の角部と四つの辺とにそれぞれ対応する８つの識別画像を表示し、これらの識別画像から１つを選択する操作に応じて選択された識別画像を表示し、この識別画像に対する操作に基づいて糸巻き歪補正を行うので、糸巻き歪補正を行うための操作を容易に行うことができる。
【発明の効果】
【００１１】
本発明によれば、糸巻き歪補正を行うための操作を容易に行うことができる。
【図面の簡単な説明】
【００１２】
【図１】プロジェクターの概略構成を示すブロック図である。
【図２】台形歪を説明するための説明図であり、（ａ）は、プロジェクター及び投射面を側方から見た側面図、（ｂ）は、投射面を示す正面図である。
【図３】台形歪を説明するための説明図であり、（ａ）は、プロジェクター及び投射面を側方から見た側面図、（ｂ）、（ｄ）は、投射面を示す正面図、（ｃ）は、液晶ライトバルブの画素領域を示す図である。
【図４】糸巻き歪を説明するための説明図であり、（ａ）はプロジェクター及び投射面を斜め上方から見た斜視図、（ｂ）、（ｄ）、（ｆ）、（ｈ）は液晶ライトバルブの画素領域を示す図、（ｃ）、（ｅ）、（ｇ）は投射面を示す正面図である。
【図５】台形歪補正キー及び糸巻歪補正キーが操作された際のプロジェクターの動作を説明するフローチャートである。
【図６】糸巻き歪補正キーが操作された際のプロジェクターの動作を説明するフローチャートである。
【図７】台形歪補正の実行時に表示される画像を示す図であり、（ａ）はコーナー選択画像を示す図、（ｂ）はコーナー調整画像を示す図である。
【図８】（ａ）〜（ｇ）は、台形歪の補正手順を説明するための説明図であり、投射面を示す正面図である。
【図９】調整部選択画像を示す図である。
【図１０】コーナー調整画像を示す図である。
【図１１】辺調整画像を示す図である。
【図１２】（ａ）〜（ｉ）は、画像形成領域の角部の移動を説明するための説明図であり、液晶ライトバルブの画素領域を示す図である。
【図１３】（ａ）〜（ｃ）は、画像形成領域の水平方向の辺の中点の移動を説明するための説明図であり、液晶ライトバルブの画素領域を示す図である。
【図１４】（ａ）〜（ｃ）は、画像形成領域の垂直方向の辺の中点の移動を説明するための説明図であり、液晶ライトバルブの画素領域を示す図である。
【図１５】（ａ）〜（ｇ）は、糸巻き歪の補正手順を説明するための説明図であり、投射面を示す正面図である。
【図１６】（ａ）、（ｂ）は、糸巻き歪の補正手順を説明するための説明図であり、液晶ライトバルブの画素領域を示す図である。
【発明を実施するための形態】
【００１３】
以下、本実施形態のプロジェクターについて、図面を参照して説明する。
プロジェクターは、光源から射出された光を変調して、外部から入力される画像情報に基づく画像（以降、「入力画像」という。）を形成し、この画像をスクリーンや壁面等の表面（以降、「投射面」という。）に投射する光学機器である。
【００１４】
図１は、プロジェクター１の概略構成を示すブロック図である。
図１に示すように、プロジェクター１は、画像投射部１０、制御部２０、記憶部２１、入力操作部２２、画像情報入力部２３、画像処理部２４、ＯＳＤ処理部２５、画像補正部２６等を備えている。
【００１５】
画像投射部１０は、光源１１、光変調装置としての３つの液晶ライトバルブ１２（１２Ｒ，１２Ｇ，１２Ｂ）、投射光学系としての投射レンズ１３、光変調装置駆動部１４等で構成されている。画像投射部１０は、表示部に相当するものであり、光源１１から射出された光を液晶ライトバルブ１２で変調して画像（画像光）を形成し、この画像を投射レンズ１３から拡大投射して、投射面Ｓに表示する。投射面Ｓは、固定式および可動式のスクリーンで構成される他、壁面やホワイトボードを投射面Ｓとして用いることも可能である。
【００１６】
光源１１は、超高圧水銀ランプやメタルハライドランプ等からなる放電型の光源ランプ１１ａと、光源ランプ１１ａが放射した光を略一定の方向に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の色光成分に分離された後、それぞれ液晶ライトバルブ１２Ｒ，１２Ｇ，１２Ｂに入射する。
【００１７】
液晶ライトバルブ１２は、一対の透明基板間に液晶が封入された液晶パネル等によって構成される。液晶ライトバルブ１２には、マトリクス状に配列された複数の画素１２ｐからなる矩形の画素領域１２ａが形成されており、液晶に対して画素１２ｐ毎に駆動電圧を印加可能になっている。光変調装置駆動部１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２の画素領域１２ａを透過することによって変調され、画像情報に応じた画像が色光毎に形成される。
【００１８】
形成された各色の画像は、図示しない色合成光学系によって画素１２ｐ毎に合成されてカラー画像となった後、投射レンズ１３によって投射面Ｓに拡大投射される。投射レンズ１３には、画像の拡大率を変更するためのズーム機構（図示せず）が備えられており、ユーザーは、このズーム機構によって画像の表示サイズを調整することができる。
【００１９】
なお、本明細書では、投射レンズ１３から投射される画像の全体を「投射画像」と呼ぶ。投射画像は、画素領域１２ａの全域で形成された画像が投射されたものであり、画素領域１２ａの全域又は一部の領域を黒色（光をほとんど透過しない状態）とした場合でも、この黒色の領域に対応する部位を含んだ範囲が投射画像となる。また、例えば、スクリーンに向けて画像を投射する際に、画像の一部がスクリーンからはみ出して後方の壁面等に投射された場合でも、はみ出した部位を含んだ範囲が投射画像となる。
【００２０】
制御部２０は、ＣＰＵ（Central Processing Unit）や、各種データ等の一時記憶に用いられるＲＡＭ（Random Access Memory）等（いずれも図示せず）を備え、記憶部２１に記憶されている制御プログラムに従って動作することによりプロジェクター１の動作を統括制御する。つまり、制御部２０は、記憶部２１とともにコンピューターとして機能する。
【００２１】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００２２】
入力操作部２２は、ユーザーからの入力操作を受け付けるものであり、ユーザーがプロジェクター１に対して各種指示を行うための複数の操作キーを備えている。入力操作部２２が備える操作キーとしては、電源のオン・オフを切り替えるための電源キーや、各種設定を行うためのメニュー画像を表示させるメニューキー、メニュー画像等で選択された項目を確定させる決定キー、上下左右に対応する４つの方向キー、動作の取り消し等を指示するための取消キー、糸巻き歪を補正するための糸巻き歪補正キー、台形歪を補正するための台形歪補正キー等がある。ユーザーが入力操作部２２の各種操作キーを操作すると、入力操作部２２は、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部２０に伝達する。
【００２３】
画像情報入力部２３には、図示しない外部の画像出力装置と接続を行うための接続端子（図示せず）が備えられており、画像出力装置から各種形式の画像情報（画像信号）が入力される。画像情報入力部２３は、入力された画像情報を画像処理部２４に出力する。
【００２４】
画像処理部２４は、画像情報入力部２３から入力される各種形式の画像情報を、液晶ライトバルブ１２Ｒ，１２Ｇ，１２Ｂの各画素１２ｐの階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素１２ｐに対応する複数の画素値によって構成されている。画素値とは、対応する画素１２ｐの光透過率を定めるものであり、この画素値によって、各画素１２ｐから射出する光の強弱（階調）が規定される。また、画像処理部２４は、制御部２０の指示に基づき、変換した画像情報に対して、明るさ、コントラスト、シャープネス、色合い等を調整するための画質調整処理等を行い、処理後の画像情報をＯＳＤ処理部２５に出力する。
【００２５】
ＯＳＤ処理部２５は、制御部２０の指示に基づいて、入力画像上にメニュー画像やメッセージ画像等のＯＳＤ（オンスクリーンディスプレイ）画像を重畳するための処理を行う。ＯＳＤ処理部２５は、図示しないＯＳＤメモリーを備えており、ＯＳＤ画像を形成するための図形やフォント等を表す画像データを記憶している。制御部２０が、ＯＳＤ画像の重畳を指示すると、ＯＳＤ処理部２５は、必要な画像データをＯＳＤメモリーから読み出して、指定されたＯＳＤ画像を形成するためのＯＳＤ画像情報を生成する。そして、入力画像上の所定の位置にＯＳＤ画像が重畳されるように、画像処理部２４から入力される画像情報にこのＯＳＤ画像情報を合成する。ＯＳＤ画像情報が合成された画像情報は、画像補正部２６に出力される。なお、制御部２０からＯＳＤ画像を重畳する旨の指示がない場合には、ＯＳＤ処理部２５は、画像処理部２４から入力される画像情報を、そのまま画像補正部２６に出力する。
【００２６】
画像補正部２６は、制御部２０の指示に基づいて画像（画像情報）を補正する。具体的には、画像補正部２６は、液晶ライトバルブ１２の画素領域１２ａ内に、ユーザーによって設定された形状の画像形成領域１２ｅを設定する（図３（ｃ）参照）。そして、この画像形成領域１２ｅ内に入力画像Ｐｉが形成されるように、ＯＳＤ処理部２５から入力される画像情報を補正する。さらに、画像補正部２６は、画像形成領域１２ｅの外側の領域を無効とすべく、画像形成領域１２ｅ外の画素１２ｐについては、黒色の画素値、つまり、光透過率が最小となる画素値に設定する。画像補正部２６は、上記のように補正した画像情報を光変調装置駆動部１４に出力する。なお、制御部２０から画像を補正する旨の指示がない場合には、画像補正部２６は、ＯＳＤ処理部２５から入力される画像情報を、そのまま光変調装置駆動部１４に出力する。この場合には、画素領域１２ａの全域で入力画像Ｐｉが形成される。言い換えれば、画素領域１２ａの全域が画像形成領域１２ｅとなる。
【００２７】
光変調装置駆動部１４が、入力される画像情報に従って液晶ライトバルブ１２を駆動すると、液晶ライトバルブ１２は、この画像情報に応じた画像を形成し、投射レンズ１３から投射画像として投射面Ｓに投射される。
【００２８】
次に、プロジェクター１の台形歪補正について、その概略を説明する。
図２及び図３は、台形歪を説明するための説明図であり、図２（ａ）及び図３（ａ）は、プロジェクター１及び投射面Ｓを側方から見た側面図、図２（ｂ）及び図３（ｂ）、（ｄ）は、投射面Ｓを示す正面図、図３（ｃ）は、液晶ライトバルブ１２の画素領域１２ａを示す図である。
【００２９】
図２（ａ）に示すように、プロジェクター１が投射面Ｓに対して傾斜していない状態、即ち、投射レンズ１３の光軸方向が投射面Ｓの法線方向と略同一となる状態では、図２（ｂ）に示すように、投射画像Ａｏに台形歪は生じず、投射画像Ａｏは、本来の形状（矩形状）で表示される。この場合には、画素領域１２ａの全域で入力画像Ｐｉを形成すればよいため、画像補正部２６による補正を行う必要はなく、投射面Ｓの全域に投射画像Ａｏ（入力画像Ｐｉ）が表示されるよう、ズーム調整や、プロジェクター１の設置位置の調整等を適宜行えばよい。
【００３０】
一方、図３（ａ）に示すように、プロジェクター１が投射面Ｓに対して傾斜している状態、即ち、投射レンズ１３の光軸方向が投射面Ｓの法線方向とは異なる状態では、図３（ｂ）に示すように、投射画像Ａｏに台形歪が生じる。このため、画素領域１２ａの全域で入力画像Ｐｉを形成している場合には、入力画像Ｐｉは、台形歪によって歪んで表示される。ここで、図３（ｃ）に示すように、画素領域１２ａ内に、台形歪を相殺可能な形状、即ち投射画像Ａｏとは反対向きに歪んだ形状の画像形成領域１２ｅを設定して、この画像形成領域１２ｅ内に入力画像Ｐｉを形成すれば、画像形成領域１２ｅ（入力画像Ｐｉ）の歪んだ形状は、台形歪によって相殺され、投射面Ｓには、台形歪が補正された本来の形状（矩形状）で入力画像Ｐｉが表示される（図３（ｄ）参照）。
【００３１】
上述したように、入力操作部２２には、台形歪補正キーが備えられており、ユーザーは、この台形歪補正キーを操作することにより、画像形成領域１２ｅの形状を設定することができる。
【００３２】
さらに、投射面Ｓが曲面となっている場合には、糸巻き歪、樽型歪等と呼ばれる歪（以下、糸巻き歪と呼ぶ）を生じる。
図４は、糸巻き歪を説明するための説明図であり、（ａ）はプロジェクター及び投射面を斜め上方から見た斜視図、（ｂ）、（ｄ）、（ｆ）、（ｈ）は液晶ライトバルブの画素領域を示す図であり、（ｃ）、（ｅ）、（ｇ）は投射面を示す正面図である。
図４（ａ）にはプロジェクター１を投射面Ｓの正面に設置した状態を示し、台形歪は生じていないが、投射面Ｓが曲面で構成されているために、投射画像Ａｏは上下の辺が凸の曲線となるような歪を生じている。画素領域１２ａの全域で入力画像Ｐｉを形成している場合には、投射面Ｓが平面であれば矩形で表示されるはずの入力画像Ｐｉは、糸巻き歪によって歪んで表示される。
図４（ａ）の例では投射面Ｓが縦方向すなわち垂直方向には歪がなく、左右方向すなわち水平方向において中央がプロジェクター１から離れる側に凸になった曲面（柱面）である。この場合、投射画像Ａｏは上下に曲線を有する樽型に歪む。
【００３３】
ここで、図４（ｂ）に示すように、画素領域１２ａ内に、糸巻き歪を相殺可能な形状、即ち投射画像Ａｏとは反対向きに歪んだ形状の画像形成領域１２ｅを設定して、この画像形成領域１２ｅ内に入力画像Ｐｉを形成すれば、画像形成領域１２ｅ（入力画像Ｐｉ）の歪んだ形状は、糸巻き歪によって相殺され、投射面Ｓには、図３（ｄ）に示した状態と同様に、糸巻き歪が補正された本来の形状（矩形状）で入力画像Ｐｉが表示される。
さらに、図４（ａ）に示す設置状態において、図３（ａ）に示したようにプロジェクター１が投射面Ｓに対して傾斜している場合には、図３（ｂ）に示したような台形歪と図４（ａ）に示したような糸巻き歪との両方を生じる。この場合、投射画像Ａｏは、台形歪と糸巻き歪の両方により、例えば樽型の投射画像Ａｏの上方が広がった形状に歪む。このような場合には、画素領域１２ａに形成される画像形成領域１２ｅの形状を、台形歪と糸巻き歪の一方を補正するよう変形させ、さらに他方を補正するよう変形させた形状とすることで、投射面Ｓに矩形の投射画像Ａｏを表示させることができる。
【００３４】
図４（ｃ）には、投射面Ｓがプロジェクター１側に凸となった柱面を構成する例を示している。この場合、投射画像Ａｏは、図４（ａ）とは逆の糸巻き歪を生じている。ここで、図４（ｄ）に示すように、投射画像Ａｏとは反対向きに歪んだ形状の画像形成領域１２ｅを画素領域１２ａ内に設定すれば、糸巻き歪を相殺して、投射面Ｓに矩形状の入力画像Ｐｉを表示できる。
図４（ｅ）には、投射面Ｓが、水平方向に歪がなく、垂直方向にゆがんだ柱面を構成し、プロジェクター１から離れた側に凸となっている例を示す。この例では投射面Ｓに投射された投射画像Ａｏが、左右の垂直方向の辺が曲線となるような歪を生じている。ここで、図４（ｆ）に示すように、投射画像Ａｏとは反対向きに歪んだ形状の画像形成領域１２ｅを画素領域１２ａ内に設定すれば、糸巻き歪を相殺して、投射面Ｓに矩形状の入力画像Ｐｉを表示できる。
図４（ｇ）には、投射面Ｓが、水平方向に歪がなく、垂直方向にゆがんだ柱面を構成し、図４（ｅ）とは逆にプロジェクター１側に凸となっている例を示す。この例では投射面Ｓに投射された投射画像Ａｏが、左右の垂直方向の辺が曲線となるような歪を生じている。ここで、図４（ｈ）に示すように、投射画像Ａｏとは反対向きに歪んだ形状の画像形成領域１２ｅを画素領域１２ａ内に設定すれば、糸巻き歪を相殺して、投射面Ｓに矩形状の入力画像Ｐｉを表示できる。
【００３５】
また、図４（ａ）、（ｃ）、（ｅ）、及び（ｇ）に示しただけでなく、投射面Ｓが楕円曲面や放物面等のより複雑な曲面を構成している場合も、この曲面により発生する糸巻き歪を相殺するような画像形成領域１２ｅを画素領域１２ａに形成すれば、矩形の投射画像Ａｏを表示できる。
上記のように、入力操作部２２には、糸巻き歪補正キーが備えられており、ユーザーは、この糸巻き歪補正キーを操作することにより、画像形成領域１２ｅの形状を設定して、糸巻き歪を補正できる。
【００３６】
図５は、台形歪補正キー又は糸巻き歪補正キーが操作された際のプロジェクター１の動作を説明するフローチャートである。この図５、及び後述する図６の動作において、制御部２０は、ＯＳＤ処理部２５と協働して識別画像表示部及び強調表示部として機能し、入力操作部２２は、制御部２０の制御のもとに選択操作部及び移動操作部として機能する。
プロジェクター１が入力画像Ｐｉを投射している状態で、ユーザーにより台形歪補正キー又は糸巻き歪補正キーが操作されると、制御部２０は、図４に示すフローに従って動作する。なお、入力操作部２２において、糸巻き歪補正と台形歪補正とのいずれにも対応する歪補正キーを設け、この歪補正キーの操作に応じて、プロジェクター１が糸巻き歪補正と台形歪補正とを選択するためのメニュー画面を表示し、入力操作部２２の操作によりメニュー画面上で糸巻き歪補正と台形歪補正のいずれかを選択する構成としてもよい。この場合、入力操作部２２の操作キーは１つで済む上に、投射面Ｓ上の投射画像Ａｏの歪が台形歪なのか糸巻き歪なのかを判別しにくい場合や、台形歪と糸巻き歪とが混在した歪を生じている場合に、ユーザーは歪の種類を考えず直感的に歪補正キーを操作すればよく、操作性の向上を図ることができる。
【００３７】
図５に示すように、ステップＳＴ１１で、制御部２０は入力操作部２２のキー操作により指示された補正内容が、糸巻き歪補正か台形歪補正かを判別する。糸巻き歪補正が指示された場合には、制御部２０は、糸巻き歪補正モードを実行し、ステップＳＴ１２で後述する糸巻き歪み補正処理を実行し、本処理を終了する。
台形歪補正が指示された場合、制御部２０は、ステップＳＴ１３に移行して、台形歪補正モードに移行し、台形歪補正処理を開始し、ステップＳＴ１４で、ＯＳＤ処理部２５に指示をして、コーナー選択画像Ｐｓ（図７（ａ）参照）を入力画像Ｐｉ上に重畳表示させる。
【００３８】
図７は、台形歪補正の実行時に表示される画像を示す図であり、（ａ）はコーナー選択画像Ｐｓを示す図であり、（ｂ）はコーナー調整画像Ｐｚを示す図である。
コーナー選択画像Ｐｓには、タイトル部Ｔａと、入力画像Ｐｉの四隅、即ち画像形成領域１２ｅの四隅に対応する４つの識別画像Ｃと、ユーザーへのメッセージが表記されるメッセージ部Ｍａと、操作可能な操作キーとその動作を案内するキー案内部Ｋａとを含んでいる。
【００３９】
４つの識別画像Ｃは、画像形成領域１２ｅ（入力画像Ｐｉ）の左上の角部に対応する識別画像Ｃ１と、右上の角部に対応する識別画像Ｃ２と、左下の角部に対応する識別画像Ｃ３と、右下の角部に対応する識別画像Ｃ４で構成されており、これらはすべて同じ大きさである。そして、各識別画像Ｃ１〜Ｃ４は、２行２列のマトリクス状に配列され、それぞれ対応する位置に配置されている（例えば、左上の角部に対応する識別画像Ｃ１は、左上に配置されている）。また、各識別画像Ｃ１〜Ｃ４には、対応する角部を表したイラストが描かれている。
【００４０】
タイトル部Ｔａには、「コーナー位置調整」と表記されており、角部の位置を調整することによって台形歪を補正する機能であることが分かるようになっている。また、メッセージ部Ｍａには、「エリアを選択してください。」と表記されており、識別画像Ｃ１〜Ｃ４によっていずれか１つの角部を選択するようユーザーに促している。識別画像Ｃ１〜Ｃ４のうちの１つ（図７（ａ）の例では識別画像Ｃ１）は、他の３つとは異なる配色になっており、その識別画像Ｃが選択された状態であることを示している。なお、これ以降、選択されている識別画像Ｃの配色を「選択配色」、選択されていない識別画像Ｃの配色を「非選択配色」とも呼ぶ。ユーザーは、方向キーを操作することによって所望の識別画像Ｃを選択することが可能であり、識別画像Ｃを選択した後で決定キーを操作すると、識別画像Ｃの選択が確定する。
【００４１】
また、図７（ｂ）に示すように、コーナー調整画像Ｐｚは、タイトル部Ｔｂと、拡大画像表示部Ｚと、ユーザーへのメッセージが表記されるメッセージ部Ｍｂと、操作可能な操作キーとその動作を案内するキー案内部Ｋｂとを含んでおり、タイトル部Ｔｂには、コーナー選択画像Ｐｓのタイトル部Ｔａと同様、「コーナー位置調整」と表記されている。
拡大画像表示部Ｚには、上述した４つの識別画像Ｃ１〜Ｃ４のうち、コーナー選択画像Ｐｓで選択された１つの識別画像Ｃ（図６の例では識別画像Ｃ１）が拡大されて表示されており、選択されなかった３つの識別画像Ｃは表示されていない。また、拡大画像表示部Ｚには、上下左右の方向を指し示す三角状の方向マークＤが付加されており、拡大されている識別画像Ｃに対応する角部を上下左右に移動（位置調整）可能であることを示している。さらに、メッセージ部Ｍｂには、「調整を実施してください。」というメッセージが表記されており、角部の位置を調整するようにユーザーに促している。このコーナー調整画像Ｐｚが表示されている状態では、ユーザーは、方向キーを操作することによって角部の位置を調整することができる。
【００４２】
図５のステップＳＴ１５で、制御部２０は、ユーザーにより方向キーが操作されたか否かを判断し、方向キーが操作されていない場合にはステップＳＴ１７に移行し、方向キーが操作された場合にはステップＳＴ１６に移行する。
ステップＳＴ１６で、制御部２０は、操作された方向キーの方向に配置されている他の識別画像Ｃを新たに選択してステップＳＴ１４に戻る。これにより、コーナー選択画像Ｐｓには、新たに選択された識別画像Ｃが選択配色で表示され、それまで選択されていた識別画像Ｃが非選択配色で表示される。
また、ステップＳＴ１７で、制御部２０は、ユーザーにより決定キーが操作されたか否かを判断し、決定キーが操作されていない場合にはステップＳＴ１８に移行し、決定キーが操作された場合にはステップＳＴ２０に移行する。
【００４３】
ステップＳＴ１８で、制御部２０は、ユーザーにより取消キーが操作されたか否かを判断し、取消キーが操作されていない場合にはステップＳＴ１５に戻り、取消キーが操作された場合にはステップＳＴ１９に移行する。
ステップＳＴ１９で、制御部２０は、ＯＳＤ処理部２５に指示をしてコーナー選択画像Ｐｓの重畳表示を終了させて、本処理を終了する。
【００４４】
また、ステップＳＴ２０で、制御部２０は、ＯＳＤ処理部２５に指示をして、コーナー選択画像Ｐｓの代わりに、コーナー調整画像Ｐｚ（図７（ｂ）参照）を重畳表示させる。
【００４５】
続いて、制御部２０は、ステップＳＴ２１で方向キーが操作されたか否かを判断し、方向キーが操作された場合にはステップＳＴ２２に移行し、方向キーが操作されていない場合にはステップＳＴ２３に移行する。
ステップＳＴ２２で、制御部２０は、画像補正部２６に指示をして、選択された角部を、操作された方向キーの方向に移動させて、ステップＳＴ２０に戻る。例えば、コーナー選択画像Ｐｓで識別画像Ｃ１が選択された場合、即ち左上の角部が選択された場合には、画像補正部２６は、図８に示すように、画像形成領域１２ｅの左上の角部を移動の対象として、操作された方向キーの方向に所定量だけ移動させる。そして、これ以降、画像補正部２６は、角部が移動した後の新たな形状の画像形成領域１２ｅ内に入力画像Ｐｉが形成されるよう、画像情報を補正する。そして、ユーザーが、方向キーを繰り返し操作したり、長押ししたりすれば、ステップＳＴ２１，ＳＴ２２が繰り返し実行され、選択した角部を必要な量だけ移動させることができる。
なお、投射される入力画像Ｐｉの上下左右と、液晶ライトバルブ１２の上下左右の関係は、必ずしも一致しないが、その場合には、投射される入力画像Ｐｉの角部が、操作された方向に移動するよう、画像形成領域１２ｅの角部を移動させるものとする。
【００４６】
また、画像形成領域１２ｅの角部は、画素領域１２ａの外側には移動し得ないため、角部が画素領域１２ａの外縁（境界）上、即ち移動可能範囲の限界に位置している場合には、制御部２０は、画素領域１２ａの外側に向かう方向の方向キーの操作を無視するようになっている。さらに、角部が画素領域１２ａの外縁上に位置している場合には、制御部２０は、その外側の方向へは移動できないことをユーザーに報知するために、ＯＳＤ処理部２５に指示をして、画素領域１２ａの外側に向かう方向、即ち移動できない方向の方向マークＤの色を、他の方向の方向マークＤの色（例えば、オレンジ色等の明るい色）に比べて目立たない色（例えば、灰色等の暗い色）に変更させる。例えば、図８（ａ）、（ｂ）、（ｃ）に示すように、移動対象の角部が画素領域１２ａの上端に位置している場合には、上方向の方向マークＤが目立たない色で表示されるとともに、上方向の方向キーが操作された場合には、その操作は無視される。また、図８（ａ）、（ｄ）、（ｇ）に示すように、移動対象の角部が画素領域１２ａの左端に位置している場合には、左方向の方向マークＤが目立たない色で表示されるとともに、左方向の方向キーが操作された場合には、その操作は無視される。なお、ステップＳＴ２２の後にステップＳＴ２０に戻ってコーナー調整画像Ｐｚを改めて表示するようにしているのは、状況に応じて方向マークＤの色を更新するためである。また、移動可能範囲の限界は、画素領域１２ａの外縁上のみならず、画素領域１２ａの内側の方向に限界を設けるようにしてもよい。
【００４７】
図５のステップＳＴ２３で、制御部２０は、決定キー又は取消キーが操作されたか否かを判断し、決定キー及び取消キーのいずれも操作されていない場合には、ステップＳＴ２１に戻る。一方、決定キー及び取消キーのいずれかが操作された場合には、選択した角部の移動を完了してステップＳＴ１４に戻り、コーナー選択画像Ｐｓが表示される状態に復帰する。その後、ユーザーは、他の角部を選択して調整を続けることもできるし、取消キーを操作して処理を終了させることもできる。
【００４８】
そして、画像補正部２６は、図８（ａ）〜（ｉ）に例示したように、液晶ライトバルブ１２上の画像形成領域１２ｅを変形させて、入力画像Ｐｉを形成することで、投射面Ｓ上の投射画像Ａｏを変形させ、図３に示したような台形歪を補正する。従って、プロジェクター１では、台形歪補正キー、方向キー、決定キー、及び取消キーの操作に応じて、コーナー選択画像Ｐｓ及びコーナー調整画像Ｐｚが表示され、台形歪を補正する操作を行うことができる。
【００４９】
図６は、ステップＳＴ１２（図５）の糸巻き歪補正処理を詳細に示すフローチャートである。
糸巻き歪補正が指示された場合、制御部２０は、ステップＳＴ３１で、ＯＳＤ処理部２５に指示をして、調整部選択画像Ｐｕを入力画像Ｐｉ上に重畳表示させる。
【００５０】
図９〜図１１は、糸巻き歪補正の実行時に表示される画像を示す図であり、図９は調整部選択画像Ｐｕを示す図であり、図１０はコーナー調整画像Ｐｖを示す図であり、図１１は辺調整画像Ｐｗを示す図である。
調整部選択画像Ｐｕには、タイトル部Ｔｃと、入力画像Ｐｉの四隅、即ち画像形成領域１２ｅの四隅に対応する４つの識別画像Ｇ１〜Ｇ４と、画像形成領域１２ｅの四辺に対応する４つの識別画像Ｇ５〜Ｇ８と、ユーザーへのメッセージが表記されるメッセージ部Ｍｃと、操作可能な操作キーとその動作を案内するキー案内部Ｋｃとを含んでいる。
【００５１】
識別画像Ｇ１〜Ｇ８は、それぞれ、画像形成領域１２ｅ（入力画像Ｐｉ）の左上の角部に対応する識別画像Ｇ１と、右上の角部に対応する識別画像Ｇ２と、左下の角部に対応する識別画像Ｇ３と、右下の角部に対応する識別画像Ｇ４と、上辺に対応するＧ５と、左辺に対応するＧ６と、右辺に対応するＧ７と、下辺に対応するＧ８とで構成され、これらはすべて同じ大きさである。各識別画像Ｇ１〜Ｇ８は、中央を空けた３行３列のマトリクス状に配列され、それぞれ画像形成領域１２ｅの対応する位置に配置されている。例えば、左上の角部に対応する識別画像Ｇ１は、左上に配置されている。また、各識別画像Ｇ１〜Ｇ８には、対応する角部及び辺を表したイラストが描かれており、画像形成領域１２ｅの各角部及び各辺と各識別画像Ｇ１〜Ｇ８との対応をユーザーが直感的に理解できるようになっている。
【００５２】
タイトル部Ｔｃには、糸巻き歪を補正する機能であることが分かるように「糸巻き歪補正」と表記されており、メッセージ部Ｍｃには、「エリアを選択してください。」と表記され、識別画像Ｇ１〜Ｇ８によっていずれか１つの角部を選択するようユーザーに促している。識別画像Ｇ１〜Ｇ８のうちの１つ（図９の例では識別画像Ｇ１）は、他の３つとは異なる配色の枠で囲まれており、その識別画像Ｇが選択された状態であることを示している。なお、これ以降、選択されている識別画像Ｇの配色を「選択配色」、選択されていない識別画像Ｇの配色を「非選択配色」とも呼ぶ。ユーザーは、方向キーを操作することによって所望の識別画像Ｇを選択することが可能であり、識別画像Ｇを選択した後で決定キーを操作すると、識別画像Ｇの選択が確定する。
【００５３】
また、図１０に示すように、コーナー調整画像Ｐｖは、タイトル部Ｔｄと、拡大画像表示部Ｖと、ユーザーへのメッセージが表記されるメッセージ部Ｍｄと、操作可能な操作キーとその動作を案内するキー案内部Ｋｄとを含んでおり、タイトル部Ｔｄには、調整部選択画像Ｐｕのタイトル部Ｔｃと同様、「糸巻き歪補正」と表記されている。コーナー調整画像Ｐｖは、図９の調整部選択画像Ｐｕにおいて、角部に対応する識別画像Ｇ１〜Ｇ４のいずれかが選択された場合に表示される。
拡大画像表示部Ｖには、調整部選択画像Ｐｕで選択された１つの識別画像Ｇ（図１０の例では識別画像Ｇ１）が拡大されて表示されており、選択されなかった３つの識別画像Ｇ（図１０の例ではＧ２〜Ｇ４）は表示されていない。また、拡大画像表示部Ｖには、上下左右の方向を指し示す三角状の方向マークＤが付加されており、拡大されている識別画像Ｇに対応する角部を上下左右に移動（位置調整）可能であることを示している。さらに、メッセージ部Ｍｄには、「調整を実施してください。」というメッセージが表記されており、角部の位置を調整するようにユーザーに促している。このコーナー調整画像Ｐｖが表示されている状態では、ユーザーは、方向キーを操作することによって角部の位置を調整することができる。
【００５４】
ここで、調整部選択画像Ｐｕ（図９）において、辺に対応する識別画像Ｇ５〜Ｇ８のいずれかが選択されると、コーナー調整画像Ｐｖに代えて、図１１に示す辺調整画像Ｐｗが表示される。辺調整画像Ｐｗは、コーナー調整画像Ｐｖと同様のタイトル部Ｔｄ、拡大画像表示部Ｖ、ユーザーへのメッセージが表記されるメッセージ部Ｍｄ、及び操作可能な操作キーとその動作を案内するキー案内部Ｋｄを含んでおり、拡大画像表示部Ｖには、調整部選択画像Ｐｕで選択された、画像形成領域１２ｅのいずれかの辺に対応する識別画像Ｇ（図１１の例では識別画像Ｇ５）が拡大表示されている。辺調整画像Ｐｗにおいて、選択されなかった３つの辺に対応する識別画像Ｇ（図１１の例ではＧ６〜Ｇ８）は表示されていない。
拡大画像表示部Ｖには、コーナー調整画像Ｐｖと同様、上下左右の方向を指し示す三角状の方向マークＤが付加されている。ただし、画像形成領域１２ｅの辺は上下方向のみ調整可能であるため、辺調整画像Ｐｗでは２つの方向を示す２つの方向マークＤが付加される。上辺及び下辺に対応する識別画像Ｇ５、Ｇ８が選択された場合は、辺調整画像Ｐｗには上下方向を示す２つの方向マークＤが付加され、左辺及び右辺に対応する識別画像Ｇ６、Ｇ７が選択された場合は左右方向を示す２つの方向マークＤが付加される。
これらの方向マークＤにより、拡大されている識別画像Ｇに対応する辺を、上下あるいは左右に移動（位置調整）可能であることを示している。
【００５５】
ここで、コーナー調整画像Ｐｖ及び辺調整画像Ｐｗにおける操作に対応して、画像形成領域１２ｅが変形される様子を図１２〜図１４に示す。図１２の（ａ）〜（ｉ）は、画像形成領域１２ｅの角部の移動を説明するための説明図であり、図１３の（ａ）〜（ｃ）及び図１４の（ａ）〜（ｃ）は、画像形成領域１２ｅの辺の中点の移動を説明するための説明図である。これら図１２〜図１４の各図は液晶ライトバルブ１２の画素領域１２ａを示している。
【００５６】
図１２には、画像形成領域１２ｅの左上の角部に対応する識別画像Ｇ１に対する操作を例として示す。この図１２に示すように、コーナー調整画像Ｐｖが表示された状態で方向キーが操作されると、この操作に応じて拡大画像表示部Ｖに表示された識別画像Ｇに対応する角部が、上下左右に移動するように、画像形成領域１２ｅが変形される。例えば、図１２（ｅ）の状態で、上方向の方向キーが操作されると、画像形成領域１２ｅの角部は一段階上に移動される。この角部の移動に伴って、この角部に繋がる辺すなわち画像形成領域１２ｅの輪郭を構成する曲線が変形され、画像形成領域１２ｅは図１２（ｂ）に示す形状となる。角部の移動に伴う曲線の変化は、制御部２０が予め設定されたアルゴリズムに従って演算処理する。また、図１２（ｅ）の状態で、下方向を示す方向キーが操作されると、画像形成領域１２ｅの角部は一段階下に移動され、画像形成領域１２ｅは図１２（ｈ）に示すように変形される。同様に、右方向を示す方向キーが操作されると、画像形成領域１２ｅは図１２（ｆ）に示すよう変形され、左方向を示す方向キーが操作されると、画像形成領域１２ｅは図１２（ｄ）に示すよう変形される。このように、方向マークＤの操作によって画像形成領域１２ｅを変形させて、歪を補正することができる。
【００５７】
また、画像形成領域１２ｅの角部は、画素領域１２ａの外側には移動し得ないため、角部が画素領域１２ａの外縁（境界）上、即ち移動可能範囲の限界に位置している場合には、制御部２０は、画素領域１２ａの外側に向かう方向の方向キーの操作を無視するようになっている。さらに、角部が画素領域１２ａの外縁上に位置している場合には、制御部２０は、その外側の方向へは移動できないことをユーザーに報知するために、ＯＳＤ処理部２５に指示をして、画素領域１２ａの外側に向かう方向、即ち移動できない方向の方向マークＤの色を、他の方向の方向マークＤの色（例えば、オレンジ色等の明るい色）に比べて目立たない色（例えば、灰色等の暗い色）に変更させる。例えば、図１２（ａ）、（ｂ）、（ｃ）に例示するように、移動対象の角部が画素領域１２ａの上端に位置している場合には、上方向の方向マークＤが目立たない色で表示されるとともに、上方向の方向キーが操作された場合には、その操作は無視される。また、図１２（ａ）、（ｄ）、（ｇ）に示すように、移動対象の角部が画素領域１２ａの左端に位置している場合には、左方向の方向マークＤが目立たない色で表示されるとともに、左方向の方向キーが操作された場合には、その操作は無視される。
【００５８】
ところで、図１２に例示する識別画像Ｇ１〜Ｇ８は、いずれも、画像形成領域１２ｅの各辺が内側に凸となるように変形した例を示しているが、図４（ａ）〜（ｈ）に示したように、糸巻き歪が発生すると、投射画像Ａｏの各辺が投射画像Ａｏの外側に凸になる場合も、内側に凸となる場合もある。このため、例えば図１２（ｂ）に示す状態から、さらに画像形成領域１２ｅの上辺を上に移動させる操作が行われた場合に、これを限界として操作不能となって終了するのではなく、例えば、画素領域１２ａにおける画像形成領域１２ｅを縮小する操作を案内してもよい。或いは、画素領域１２ａにおける画像形成領域１２ｅを、画素領域１２ａの端に達した辺の反対側にシフトさせる操作を案内してもよい。さらに、これらの操作を案内するだけでなく、実際に画像形成領域１２ｅを縮小またはシフトさせてもよい。この場合、投射面Ｓ上の投射画像Ａｏに対し糸巻き歪を補正できる範囲が拡大される。
【００５９】
図１３は、画像形成領域１２ｅの水平方向の辺の中点の移動に関する説明図であり、画像形成領域１２ｅの上辺に対応する識別画像Ｇ５に対する操作を例として示す。この図１３に示すように、辺調整画像Ｐｗが表示された状態で方向キーが操作されると、この操作に応じて拡大画像表示部Ｖに表示された識別画像Ｇに対応する辺が、上下に移動するように、画像形成領域１２ｅが変形される。ここで、辺全体が移動するのではなく、辺の中点が上下に移動され、この中点の移動に合わせて当該辺が変形される。辺の変化は、制御部２０が予め設定されたアルゴリズムに従って、移動された中点の位置に合わせて曲線を描く演算処理を行って決定する。例えば、図１３（ｂ）の状態で、上方向を示す方向キーが操作されると、画像形成領域１２ｅの辺の中心が一段階上に移動され、この移動に伴って、この辺すなわち画像形成領域１２ｅの輪郭を構成する曲線が、図１３（ａ）に示すように変形される。図１３（ｂ）の状態で、下方向を示す方向キーが操作されると、画像形成領域１２ｅの角部は一段階下に移動され、画像形成領域１２ｅは図１３（ｃ）に示すように変形される。ここで、制御部２０は、所定位置として辺の中心を移動するが、他の位置を移動してもよい。ただし、通常画像形成領域１２ｅは矩形であるため、辺の中心を移動することが、糸巻き歪の補正にとっては好適である。
【００６０】
図１４には、画像形成領域１２ｅの垂直方向の辺の中点の移動に関する説明図であり、画像形成領域１２ｅの左辺に対応する識別画像Ｇ６に対する操作を例として示す。この図１４に示すように、辺調整画像Ｐｗが表示された状態で方向キーが操作されると、この操作に応じて拡大画像表示部Ｖに表示された識別画像Ｇに対応する辺が、左右に移動するように、画像形成領域１２ｅが変形される。図１３を参照して説明した場合と同様に、方向マークＤの操作に応じて、辺全体が移動するのではなく、辺の中点が上下に移動され、この中点の移動に合わせて当該辺が変形される。辺の変化は、制御部２０が予め設定されたアルゴリズムに従って、移動された中点の位置に合わせて曲線を描く演算処理を行って決定する。
例えば、図１４（ｂ）の状態で、左方向を示す方向キーが操作されると、画像形成領域１２ｅの辺の中心が一段階左に移動され、この移動に伴って、この辺すなわち画像形成領域１２ｅの輪郭を構成する曲線が、図１４（ａ）に示すように変形される。図１３（ｂ）の状態で、右方向を示す方向キーが操作されると、画像形成領域１２ｅの角部は一段階右に移動され、画像形成領域１２ｅは図１４（ｃ）に示すように変形される。
【００６１】
図６のステップＳＴ３２で、制御部２０は、ユーザーにより方向キーが操作されたか否かを判断し、方向キーが操作されていない場合にはステップＳＴ３４に移行し、方向キーが操作された場合にはステップＳＴ３３に移行する。
ステップＳＴ３３で、制御部２０は、操作された方向キーの方向に配置されている他の識別画像Ｇを新たに選択してステップＳＴ３１に戻る。これにより、調整部選択画像Ｐｕには、新たに選択された識別画像Ｇが選択配色で表示され、それまで選択されていた識別画像Ｇが非選択配色で表示される。
また、ステップＳＴ３４で、制御部２０は、ユーザーにより決定キーが操作されたか否かを判断し、決定キーが操作されていない場合にはステップＳＴ３５に移行し、決定キーが操作された場合にはステップＳＴ３７に移行する。
【００６２】
ステップＳＴ３５で、制御部２０は、ユーザーにより取消キーが操作されたか否かを判断し、取消キーが操作されていない場合にはステップＳＴ３２に戻り、取消キーが操作された場合にはステップＳＴ３６に移行する。
ステップＳＴ３６で、制御部２０は、ＯＳＤ処理部２５に指示をして調整部選択画像Ｐｕの重畳表示を終了させて、本処理を終了する。
【００６３】
また、ステップＳＴ３７で、制御部２０は、ＯＳＤ処理部２５に指示をして、調整部選択画像Ｐｕの代わりに、コーナー調整画像Ｐｖまたは辺調整画像Ｐｗを重畳表示させる。コーナー調整画像Ｐｖと辺調整画像Ｐｗのどちらを表示させるかは、ステップＳＴ３２における操作に応じて制御部２０が決定する。
【００６４】
続いて、制御部２０は、ステップＳＴ３８で方向キーが操作されたか否かを判断し、方向キーが操作された場合にはステップＳＴ３９に移行し、方向キーが操作されていない場合にはステップＳＴ４０に移行する。
ステップＳＴ３９で、制御部２０は、画像補正部２６に指示をして、コーナー調整画像Ｐｖまたは辺調整画像Ｐｗで拡大表示されている角部または辺を、操作された方向キーの方向に移動させて、ステップＳＴ３７に戻る。画像補正部２６は、図１２〜図１４で説明したように、画像形成領域１２ｅの角部または辺の中心を、操作された方向キーの方向に所定量だけ移動させる。そして、これ以降、画像補正部２６は、角部または辺の中心が移動した後の新たな形状の画像形成領域１２ｅ内に入力画像Ｐｉが形成されるよう、画像情報を補正する。そして、ユーザーが、方向キーを繰り返し操作したり、長押ししたりすれば、ステップＳＴ３８，ＳＴ３９が繰り返し実行され、選択した角部または辺を必要な量だけ移動させることができる。
【００６５】
なお、投射される入力画像Ｐｉの上下左右と、液晶ライトバルブ１２の上下左右の関係は、必ずしも一致しないが、その場合には、投射される入力画像Ｐｉの角部が、操作された方向に移動するよう、画像形成領域１２ｅの角部を移動させるものとする。
また、ステップＳＴ３９の後にステップＳＴ３７に戻ってコーナー調整画像Ｐｖを改めて表示するようにしているのは、状況に応じて方向マークＤの色を更新するためである。また、移動可能範囲の限界は、画素領域１２ａの外縁上のみならず、画素領域１２ａの内側の方向に限界を設けるようにしてもよい。
【００６６】
ステップＳＴ４０で、制御部２０は、決定キー又は取消キーが操作されたか否かを判断し、決定キー及び取消キーのいずれも操作されていない場合には、ステップＳＴ３８に戻る。一方、決定キー及び取消キーのいずれかが操作された場合には、選択した角部の移動を完了してステップＳＴ３１に戻り、調整部選択画像Ｐｕが表示される状態に復帰する。その後、ユーザーは、他の角部を選択して調整を続けることもできるし、取消キーを操作して処理を終了させることもできる。
【００６７】
次に、図４に示した糸巻き歪を、上述したフローに従って補正する際の具体的な手順について説明する。
図１５及び図１６は、糸巻き歪の補正手順を説明するための説明図であり、図１５（ａ）〜（ｇ）は投射面Ｓを示す正面図であり、図１６（ａ）、（ｂ）は、液晶ライトバルブ１２の画素領域１２ａを示す図である。
投射面Ｓに投射されている入力画像Ｐｉに糸巻き歪が生じている状態で、ユーザーが糸巻き歪補正キーを操作すると、制御部２０は、図６に示すフローに従った動作を開始し、まず、図１５（ａ）に示すように、入力画像Ｐｉ上に調整部選択画像Ｐｕを重畳表示させる（ステップＳＴ３１）。
【００６８】
ユーザーは、必要に応じて方向キーを操作して（ステップＳＴ３２）、最初に左上の角部に対応する識別画像Ｇ１を選択する（ステップＳＴ３３）。そして、ユーザーが決定キーを操作すると（ステップＳＴ３４）、制御部２０は、図１５（ｂ）に示すように、コーナー調整画像Ｐｖを入力画像Ｐｉ上に重畳表示させ（ステップＳＴ３７）、その拡大画像表示部Ｖに、識別画像Ｇ１を拡大して表示させる。
コーナー調整画像Ｐｖが表示されると、ユーザーは、方向キーの操作によって画像形成領域１２ｅ（入力画像Ｐｉ）の角部を移動させることが可能であり、ユーザーは、選択した左上の角部を左上の方向に移動させるべく、左方向キーと上方向キーを適宜操作する（ステップＳＴ３８）。図１２に示したように、画像形成領域１２ｅの左上の角部は、左方向キーが操作される度に左方向に所定量ずつ移動し、上方向キーが操作される度に上方向に所定量ずつ移動する（ステップＳＴ３９）。そして、ユーザーは、投射面Ｓに投射される入力画像Ｐｉ（図１５（ｃ）参照）を見ながら、画像形成領域１２ｅの左上の角部を必要な量だけ左上に移動させる（図１５（ｄ）参照）。これにより、液晶ライトバルブ１２上に形成される画像形成領域１２ｅは、図１６（ａ）に示すように左上の角部が左上に移動するよう変形される。その後、ユーザーが決定キー又は取消キーを操作すると（ステップＳＴ４０）、左上の角部の移動は完了し、調整部選択画像Ｐｕが表示される状態に戻る（ステップＳＴ３１）。
【００６９】
次に、ユーザーは、必要に応じて方向キーを操作して（ステップＳＴ３２）、今度は上辺に対応する識別画像Ｇ５を選択する（ステップＳＴ３３）。そして、ユーザーが決定キーを操作すると（ステップＳＴ３４）、制御部２０は、図１５（ｅ）に示すように、辺調整画像Ｐｗを入力画像Ｐｉ上に重畳表示させ（ステップＳＴ３７）、その拡大画像表示部Ｖに、識別画像Ｇ５を拡大して表示させる。
辺調整画像Ｐｗが表示されると、ユーザーは、投射面Ｓに投射される入力画像Ｐｉ（図１５（ｆ）参照）を見ながら、上方向キーを適宜操作して（ステップＳＴ３８）、画像形成領域１２ｅの上辺を必要な量だけ上に移動させる。これにより、液晶ライトバルブ１２上に形成される画像形成領域１２ｅは、図１６（ａ）に示すように上辺が上に移動するよう変形される。そして、ユーザーが決定キー又は取消キーを操作すると（ステップＳＴ４０）、上辺の移動は完了し、調整部選択画像Ｐｕが表示される状態に戻る（ステップＳＴ３１）。その後、ユーザーが取消キーを操作すると（ステップＳＴ３５）、調整部選択画像Ｐｕの重畳表示が終了し（ステップＳＴ３６）、糸巻き歪が解消された状態で入力画像Ｐｉが表示される。
【００７０】
このように、プロジェクター１では、糸巻き歪補正キー、方向キー、決定キー、及び取消キーの操作に応じて、調整部選択画像Ｐｕ、コーナー調整画像Ｐｖ及び辺調整画像Ｐｗが表示され、糸巻き歪を補正する操作を行うことができる。
【００７１】
以上説明したように、本実施形態のプロジェクター１によれば、光源１１と、光源１１から射出された光を変調する液晶ライトバルブ１２と、液晶ライトバルブ１２で変調された画像光を投射する投射レンズ１３を含む投射光学系を備え、制御部２０は、画像光が示す投射画像Ａｏの四隅の角部と、角部の間にある四つの辺とにそれぞれ対応する８つの識別画像Ｇ１〜Ｇ８を、投射光学系から画像光を投射することによってＯＳＤ処理部２５により表示させ、表示される８つの識別画像Ｇ１〜Ｇ８の中から１つを選択する操作を入力操作部２２によって受け付け、この操作により選択された識別画像Ｇを、他の識別画像Ｇと識別可能に強調表示し、識別画像Ｇを表示している状態で、角部または辺上の所定位置を移動させるための操作を入力操作部２２により受け付け、受け付けた操作に基づいて、選択された識別画像Ｇに対応する角部または辺上の所定位置を移動させるとともに、この移動に伴う糸巻き歪補正を画像補正部２６により実行するので、投射面Ｓに投射される投射画像Ａｏの四隅の角部と四つの辺とにそれぞれ対応する８つの識別画像Ｇ１〜Ｇ８を表示し、これらの識別画像Ｇ１〜Ｇ８から１つを選択する操作に応じて選択された識別画像Ｇを表示し、この識別画像Ｇに対する操作に基づいて糸巻き歪補正を行うので、糸巻き歪補正を行うための操作を容易に行うことができる。
【００７２】
また、制御部２０は、角部に対応する識別画像Ｇ１〜Ｇ４に対しては、入力操作部２２で移動可能な少なくとも２つの軸に対応する方向マークＤを、入力操作部２２で選択された識別画像Ｇに付加し、辺部に対応する識別画像Ｇ５〜Ｇ８に対しては、入力操作部２２で移動可能な１つの軸に対応する方向マークＤを、入力操作部２２で選択された識別画像Ｇに付加するので、角部と辺に対してそれぞれ最適な方向マークＤを表示することにより適切に操作を案内することができ、糸巻き歪を補正するための操作をより容易にすることができる。
【００７３】
また、プロジェクター１は、糸巻き歪補正を行う糸巻き歪補正モードと、台形歪補正を行う台形歪補正モードとを選択可能に構成され、台形歪補正モードにおいては、制御部２０は、画像の四隅の角部にそれぞれ対応する４つの識別画像Ｃ１〜Ｃ４を表示し、入力操作部２２は、制御部２０が表示する４つの識別画像Ｃ１〜Ｃ４の中から１つを選択する操作を受け付け、入力操作部２２は、制御部２０が識別画像Ｃを表示している状態で、角部を移動させるための操作を受け付け、画像補正部２６は、入力操作部２２で受け付けた操作に基づいて、選択された識別画像Ｃに対応する角部を移動させるとともに、この移動に伴う台形歪補正を実行するので、糸巻き歪補正とともに、台形歪補正をするための操作を容易に行うことができる。
【００７４】
また、制御部２０は、糸巻き歪補正モードにおいては入力操作部２２で選択されなかった７つの他の識別画像Ｇを非表示にし、台形歪補正モードにおいては入力操作部２２で選択されなかった３つの他の識別画像Ｃを非表示にするので、糸巻き歪補正と台形歪補正とのそれぞれに最適な表示を行って、操作をより容易にすることができる。
制御部２０は、入力操作部２２により選択された角部または辺上の所定の位置が移動可能範囲の限界に位置していて所定の方向へ移動できない状態では、当該方向に対応する方向マークＤを目立たなくするので、方向マークＤの表示状態によって、角部または辺を移動させる操作の限界を知らせることができるので、糸巻き歪を補正するための操作をより容易にすることができる。
【００７５】
なお、上記実施形態は本発明を適用した具体的態様の例に過ぎず、本発明を限定するものではなく、上記実施形態とは異なる態様として本発明を適用することも可能である。例えば、上記実施形態においては、コーナー選択画像Ｐｓで選択された識別画像Ｃ、及び、調整部選択画像Ｐｕで選択された角部または辺に対応する識別画像Ｇを、コーナー調整画像Ｐｚ、コーナー調整画像Ｐｖ或いは辺調整画像Ｐｗに表示している。つまり、選択されなかった他の識別画像Ｃ、Ｇを非表示にしているが、例えば、選択された識別画像Ｃ、Ｇより小さなサイズであれば、選択されなかった識別画像Ｃ、Ｇの一部又は全部がコーナー調整画像Ｐｚ、コーナー調整画像Ｐｖ及び辺調整画像Ｐｗに含まれていてもよい。また、コーナー調整画像Ｐｚ、コーナー調整画像Ｐｖ及び辺調整画像Ｐｗでは、選択された識別画像Ｃ、Ｇを必ずしも拡大する必要はなく、選択されていない識別画像Ｃ、Ｇを縮小したり、非表示にしたりするだけであってもよい。このように、コーナー調整画像Ｐｚ、コーナー調整画像Ｐｖ及び辺調整画像Ｐｗは、選択された識別画像Ｃ、Ｇを、選択されなかった識別画像Ｃ、Ｇよりも強調して表示する態様であればよい。
【００７６】
また、上記実施形態では、コーナー調整画像Ｐｚ、コーナー調整画像Ｐｖ及び辺調整画像Ｐｗにおいて、移動できない方向の方向マークＤの色を目立たない色にするとともに、その方向の方向キーが操作された場合には、この操作を無視するようにしているが、移動できない方向の方向キーが操作された場合に、移動できない旨を報知するメッセージをメッセージ部Ｍｂ、Ｍｄ等に表示するようにしてもよい。
【００７７】
上記実施形態において、各角部及び辺の位置調整が済んだか否かを、調整部選択画像Ｐｕ上で識別できるようにすれば、位置調整の実施状況を把握しやすくなり、利便性が向上する。例えば、角部或いは辺の移動（位置調整）を終えた際に、位置調整が済んだことを示す調整済マークを、調整部選択画像Ｐｕにおいて識別画像Ｇに付加するようにすればよい。或いは、位置調整が済んだ識別画像Ｃの配色を変更するようにしてもよい。
また、上記実施形態において、コーナー調整画像Ｐｖまたは辺調整画像Ｐｗが表示されている状態で方向キーが操作された場合に、その操作に連動して、対応する方向マークＤの色を一時的に変化させるようにしてもよい。これによれば、方向キーを操作するたびに方向マークＤの色が変化するため、ユーザーは、方向キーの操作が正常に受け付けられていることを認識することができる。
【００７８】
また、上記実施形態では、光変調装置として３つの液晶ライトバルブ１２Ｒ，１２Ｇ，１２Ｂを用いた３板式のプロジェクター１について説明したが、光変調装置の態様は、これに限定されない。例えば、１枚の透過型または反射型液晶パネルとカラーホイールを組み合わせた方式、３枚のデジタルミラーデバイス（ＤＭＤ）を用いた方式、１枚のデジタルミラーデバイスとカラーホイールを組み合わせたＤＭＤ方式等により構成してもよい。ここで、表示部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
上記実施形態では、光源１１は、放電型の光源ランプ１１ａによって構成されているが、ＬＥＤ光源等の固体光源や、その他の光源を用いることもできる。
【００７９】
また、図１に示したプロジェクター１の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１の他の各部の具体的な細部構成についても、本発明の趣旨を逸脱しない範囲で任意に変更可能である。
【符号の説明】
【００８０】
１…プロジェクター、１０…画像投射部、１１…光源、１２…液晶ライトバルブ（光変調装置）、１２ａ…画素領域、１２ｅ…画像形成領域、１２ｐ…画素、１３…投射レンズ（投射光学系）、１４…光変調装置駆動部、２０…制御部（識別画像表示部、強調表示部）、２１…記憶部、２２…入力操作部（選択操作部、移動操作部）、２５…ＯＳＤ処理部（識別画像表示部、強調表示部）、２６…画像補正部、Ａｏ…投射画像、Ｃ１〜Ｃ４…識別画像、Ｄ…方向マーク、Ｇ１〜Ｇ８…識別画像、Ｋａ、Ｋｂ、Ｋｃ、Ｋｄ…キー案内部、Ｍａ、Ｍｂ、Ｍｃ、Ｍｄ…メッセージ部、Ｐｉ…入力画像、Ｐｓ…コーナー選択画像、Ｐｕ…調整部選択画像、Ｐｖ…コーナー調整画像、Ｐｗ…辺調整画像、Ｐｚ…コーナー調整画像、Ｓ…投射面、Ｔａ、Ｔｂ、Ｔｃ、Ｔｄ…タイトル部、Ｖ、Ｚ…拡大画像表示部。
【図１】
2013077958.tif 000003
【図２】
2013077958.tif 000004
【図３】
2013077958.tif 000005
【図４】
2013077958.tif 000006
【図５】
2013077958.tif 000007
【図６】
2013077958.tif 000008
【図７】
2013077958.tif 000009
【図８】
2013077958.tif 000010
【図９】
2013077958.tif 000011
【図１０】
2013077958.tif 000012
【図１１】
2013077958.tif 000013
【図１２】
2013077958.tif 000014
【図１３】
2013077958.tif 000015
【図１４】
2013077958.tif 000016
【図１５】
2013077958.tif 000017
【図１６】
2013077958.tif 000018